(57)【特許請求の範囲】
【請求項１】
握り部と、本体軸と、を有し、
前記本体軸は、中空棒状とされ、先端部にねじ頭部と嵌合される嵌合部を有して後端部が前記握り部に固定され、内部に棒状物を繰り出し及び没入可能に形成される棒状物繰り出し機構を備え、該棒状物繰り出し機構により繰り出される前記棒状物を突出させる芯突出部を備え、
前記握り部は、前記握り部の後端から一部が突出して、前記棒状物繰り出し機構を作動可能とする可動部を備え、
前記本体軸は、
環状の凹溝部を有して前記握り部に固定される第１本体軸と、
前記第１本体軸側に突出させながら前記凹溝部に嵌脱するボールを保持するボール保持孔と、内周面を前記ボールと当接させることにより前記ボールを前記第１本体軸側へ弾性力で押さえるＣリングと、前記嵌合部と、を有し、前記第１本体軸に対し軸方向に着脱自在としながら回転が規制される第２本体軸と、
により形成される、ことを特徴とするねじ回し。
【請求項２】
前記第１本体軸は前記第２本体軸内に差し込まれ、
前記ボール保持孔は、前記第２本体軸の外表面から内面に向けて貫通されるとともに、前記第２本体軸の内周面近傍が、前記第２本体軸の内周面側に凸となるように球面状に形成される、
ことを特徴とする請求項１に記載のねじ回し。
【請求項３】
前記芯突出部は、前記嵌合部の先端に設けられることを特徴とする請求項１又は請求項２に記載のねじ回し。
【請求項４】
前記本体軸の内部に形成され、前記棒状物繰り出し機構の前端部と当接する段部と、
前記本体軸の後端部に螺合され、前記棒状物繰り出し機構の後端部と当接する後側支持部材と、
を有することを特徴とする請求項１乃至請求項３の何れか記載のねじ回し。
【請求項５】
前記棒状物はシャープペンシル用の芯であり、
前記棒状物繰り出し機構は、前記シャープペンシル用の芯を把持又は解放する把持解放手段を有することを特徴とする請求項１乃至請求項４の何れか記載のねじ回し。
【発明の詳細な説明】
【技術分野】
【０００１】
本発明は、ねじやボルトを締緩するねじ回しに関する。
【背景技術】
【０００２】
従来から、ねじ回しに種々の機能を付加し、利便性を高めたものが提案されている。例えば、特許文献１に開示される照明付工具は、握り部にＬＥＤ灯が取り付けられる発光グリップを有し、この発光グリップの先端には挿入孔が形成される。そして、この挿入孔に挿入可能な部材として、複数の透光挿入部が用意されている。透光挿入部としては、マイナス状や十字状の金属を一体として射出成形され、ねじ回しに用いられるものや、鉛筆やボールペンを挿入可能な貫通孔を有するものが開示されている。
【先行技術文献】
【特許文献】
【０００３】
【特許文献１】実用新案登録第３１０５６６０号公報
【発明の概要】
【発明が解決しようとする課題】
【０００４】
特許文献１に開示される照明工具の使用において、例えば、十字状のプラスねじ回しの締結完了後に鉛筆で筆記をしたい場合には、十字状のプラスねじ回しに係る透光挿入部とされる部材を発光グリップの挿入孔から取り外し、鉛筆が設けられた投光挿入部とされる部材を発光グリップの挿入孔に差し込んで取り付けなければならず、煩雑である。また、これら複数の透光挿入部とされる部材の保管や管理にも配慮する必要がある。そして、当該照明工具を携帯する場合においても、複数の透光挿入部とされるねじ回しや筆記具を個別に携帯することとなり、煩雑である。
【０００５】
よって、本発明の目的は、ねじ回しの作業と筆記等の他の作業をスムーズに切り替えることができるとともに、携帯性にも優れたねじ回しを提供することにある。
【課題を解決するための手段】
【０００６】
上記課題を解決するために、本発明のうち第１の発明によれば、
握り部と、本体軸と、を有し、
前記本体軸は、中空棒状とされ、先端部にねじ頭部と嵌合される嵌合部を有して後端部が前記握り部に固定され、内部に棒状物を繰り出し及び没入可能に形成される棒状物繰り出し機構を備え、該棒状物繰り出し機構により繰り出される前記棒状物を突出させる芯突出部を備え、
前記握り部は、前記握り部の後端から一部が突出して、前記棒状物繰り出し機構を作動可能とする可動部を備えることを特徴とするねじ回しが得られる。
【０００７】
本発明のうち第２の発明によれば、上記第１の発明の特徴に加え、
前記本体軸は、前記握り部に固定される第１本体軸と、該第１本体軸に着脱自在に形成されるとともに、前記嵌合部が設けられる第２本体軸と、により形成されることを特徴とするねじ回しが得られる。
【０００８】
本発明のうち第３の発明によれば、上記第１又は第２の発明の特徴に加え、
前記芯突出部は、前記嵌合部の先端に設けられることを特徴とするねじ回しが得られる。
【０００９】
本発明のうち第４の発明によれば、上記第１乃至第３の何れか一の発明の特徴に加え、
前記本体軸の内部に形成され、前記棒状物繰り出し機構の前端部と当接する段部と、
前記本体軸の後端部に螺合され、前記棒状物繰り出し機構の後端部と当接する後側支持部材と、
を有することを特徴とするねじ回しが得られる。
【００１０】
本発明のうち第５の発明によれば、上記第１乃至第４の何れか一の発明の特徴に加え、
前記棒状物はシャープペンシル用の芯であり、
前記棒状物繰り出し機構は、前記シャープペンシル用の芯を把持又は解放する把持解放手段を有することを特徴とするねじ回しが得られる。
【発明の効果】
【００１１】
本発明によれば、以下の効果を奏する。すなわち、本発明のうち第１の発明によれば、ねじ頭部と嵌合される嵌合部と、棒状物を繰り出し可能な棒状物繰り出し機構が一体とされる本体軸を有するねじ回しを得ることができる。例えば、嵌合部をマイナス状やプラス状のねじ回し先端部とし、棒状物を鉛筆やボールペン等の筆記具や、ケガキ工具等とすることができる。従って、ねじ回しの先端部部材や筆記具等の着脱作業をすることなく、ねじ回しの作業をしながら筆記やケガキの作業の切り替えをスムーズに行うことができる。さらに、ねじの締緩作業に用いる工具と、筆記具等を個別に所持して保管する必要がないので、携帯性を向上することができる。
【００１２】
また、本発明のうち第２の発明によれば、ねじ頭と嵌合される嵌合部が設けられた第２本体軸が第１本体軸に着脱自在に形成された本体軸とされるので、マイナス状やプラス状、六角状等のねじやボルトに対応する嵌合部が設けられた第２本体軸を種々用意すれば、種々のねじに対して、本発明のねじ回しを使用することができる。
【００１３】
また、本発明のうち第３の発明によれば、嵌合部の先端から棒状物を突出させることができるので、ねじの締緩作業と筆記等の作業の切り替えを、さらにスムーズに行うことができる。
【００１４】
また、本発明のうち第４の発明によれば、棒状物繰り出し機構は、前方側を段部に当接させて、後方側からは後側支持部材と当接して押さえられる。そして、この後側支持部材は、本体軸の後端部に螺合して固定される。これにより、後側支持部材の螺合部分を前方側に設ける必要がなく、握り部内に後側支持部材を設けることができるので、ねじ回しの作業により後側支持部材が緩んでしまうことがない。
【００１５】
また、本発明のうち第５の発明によれば、棒状物をシャープペンシル用の芯とすることができる。よって、製造現場等で最も多用される鉛筆に換えて、本発明に係るねじ回しを用いることができ、これにより、製造現場における工具や筆記具の保管管理性や携帯性を向上することができる。
【図面の簡単な説明】
【００１６】
【図１】本発明の第一実施形態に係るねじ回しの外観を示す側面図である。
【図２】本発明の第一実施形態に係るねじ回しの縦断面図である。
【図３】本発明の第一実施形態に係るねじ回しの本体軸の拡大縦断面図である。
【図４】本発明の第一実施形態に係るねじ回しの図３におけるＩＶ−ＩＶ断面図である。
【図５】本発明の第二実施形態に係るねじ回しの縦断面図である。
【図６】本発明の第三実施形態に係るねじ回しの縦断面図である。
【発明を実施するための形態】
【００１７】
（第一実施形態）
本発明の第一実施形態について、図に基づいて説明する。図１は、本発明の実施形態に係るねじ回し１０の外観を示す側面図である。ねじ回し１０の握り部１１には、棒状に形成された第1本体軸１４の後端部が固定されている。第1本体軸１４の前方側には、棒状に形成された第２本体軸１５が着脱自在にとされている。この第１本体軸１４と第２本体軸１５とにより、本体軸１３が形成されている。第２本体軸１５の先端部には、ねじ頭部と嵌合される嵌合部１６が設けられている。本実施形態においては、嵌合部１６は、プラスねじのねじ頭と嵌合可能なプラス状とされている。
【００１８】
第１本体軸１４の内部は中空状とされ、この中空状の内部に棒状物を繰り出すことのできる棒状物繰り出し機構が設けられている。そして、握り部１１には、握り部１１の後端部から一部が突出されるノック部材１２が備えられる。ノック部材１２は、棒状物繰り出し機構を作動可能とする可動部とされる。本実施形態においては、棒状物は、シャープペンシル用の芯としてのシャープ芯１７とされる。そして、ノック部材１２はノック操作可能に形成され、このノック操作をすることで、シャープ芯１７が繰り出される。
【００１９】
次に、図２に基づいて説明する。図２は第２本体軸１５を第１本体軸１４に装着した状態におけるねじ回し１０の縦断面図である。図２に示すように、本体軸１３の内部に設けられる棒状物繰り出し機構２０の芯タンク２１の後端には、ノック部材１２が接続されている。本体軸１３の第１本体軸１４の先端には、棒状物繰り出し機構２０により繰り出されるシャープ芯１７を突出可能に開口される第１芯突出部１４ａが設けられている。また、この第１芯突出部１４ａの前方の第２本体軸１５には、第１芯突出部１４ａと同心の貫通孔１５ａ１が設けられている。そして、貫通孔１５ａ１の前端部（換言すれば、嵌合部１６の先端）には、第２芯突出部１５ａが設けられている。
【００２０】
このように、本実施形態においては、棒状物繰り出し機構２０により繰り出されるシャープ芯１７が突出される芯突出部が、第１芯突出部１４ａ及び第２芯突出部１５ａとして、第１本体軸１４及び第２本体軸１５にそれぞれ設けられている。よって、第２本体軸１５を第１本体軸１４から外した状態でシャープ芯１７により筆記することもできるし、第２本体軸１５を第１本体軸１４に装着した状態でもシャープ芯１７を突出させて筆記することもできる。
【００２１】
次に、図３に基づいて、棒状物繰り出し機構２０等について詳細に説明する。棒状物繰り出し機構２０には、シャープ芯１７が貯留される芯タンク２１が設けられている。芯タンク２１の先端には、チャック部材２２が固定されている。チャック部材２２は、周方向に１２０度ずつ三分割された長尺状の部材が組み合わされてなる。チャック部材２２の前部分は芯把持部２２ａとして、後方側よりも外径を大きくして形成されている。この芯把持部２２ａの外周には、前方向を開口したカップ状のチャックリング２３が芯把持部２２ａに対して係脱自在に設けられている。
【００２２】
この芯把持部２２ａ（チャック部材２２）とチャックリング２３とによりシャープ芯１７を把持又は解放する把持解放手段が形成される。すなわち、芯把持部２２ａとチャックリング２３が係合状態のとき、芯把持部２２ａが締まり、シャープ芯１７は芯把持部２２ａに把持される。芯把持部２２ａが先端側に移動して、芯把持部２２ａとチャックリング２３との係合が外れると、芯把持部２２ａは僅かに開き、シャープ芯１７を解放する。
【００２３】
一方、第１本体軸１４の先端部には、外形が先端先細の先口１４ｂが圧入固定されている。先口１４ｂの内周面後側は、前後方向に延びるリブ部１４ｂ１が周方向に複数形成されている。そして、リブ部１４ｂ１の後端は、第１本体軸１４内周面で段部１４ｂ２を形成する。また、複数のリブ部１４ｂ１の内側面には、それぞれ段部１４ｂ３が形成される。よって、リブ部１４ｂ１の内側面で形成される空間の径は、段部１４ｂ３よりも後方側の内側面よりも前方側の内側面が縮径され形成されている。チャックリング２３の外径は、段部１４ｂ３よりも後方側におけるリブ部１４ｂ１内側面による径より小さく形成される。よって、段部１４ｂ３よりも後方側において、チャックリング２３は、前後移動自在に設けられている。また、チャック部材２２の芯把持部２２ａの外周は、段部１４ｂ３よりも前方側におけるリブ部１４ｂ１内側面と摺接可能に形成される。
【００２４】
一方、チャック部材２２の外周と第１本体軸１４の内周面との間には、スリーブ２５が設けられている。スリーブ２５は、略円筒状に形成されている。芯タンク２１の外周面は、スリーブ２５の内周面と摺接する。よって、芯タンク２１は、スリーブ２５の内周面により、前後に移動自在にガイドされている。また、スリーブ２５の前端部近傍の内周面には、この内周面から環状に突出する環状突部２５ａが形成されている。
【００２５】
環状突部２５ａ後面と芯タンク２１前端面との間には、チャック部材２２の外周に巻回されるコイルばね２４が設けられている。このコイルばね２４により、芯タンク２１は後方側に付勢される。一方、チャックリング２３は環状突部２５ａの前面に形成される凹部に遊嵌し、当接される。チャックリング２３と環状突部２５ａ前面との当接により、芯タンク２１の後方側への移動は規制される。
【００２６】
また、スリーブ２５の前端と、第１本体軸１４内周面に形成される段部１４ｂ２とが当接し、スリーブ２５の前方側への移動が規制される。そして、第１本体軸１４の後端には、中心に芯タンク２１が貫通される止め部材１８が螺合して接続される。この止め部材１８の前端と、スリーブ２５の後端との間には、コイルばね１８ａが設けられている。コイルばね１８ａは、圧縮状態で設けられている。よって、止め部材１８及びコイルばね１８ａにより、スリーブ２５は、段部１４ｂ２に押し付けられている。
【００２７】
このように、棒状物繰り出し機構２０は、スリーブ２５及びスリーブ２５により保持されるチャック部材２２やチャックリング２３、芯タンク２１及びコイルばね２４により構成される。そして、棒状物繰り出し機構２０の前端部となるスリーブ２５の前端部は、段部１４ｂ２と当接される。さらに、棒状物繰り出し機構２０の後端部となるスリーブ２５の後端部は、止め部材１８及びコイルばね１８ａからなる後側支持部材と当接される。そして、後側支持部材の止め部材１８は本体軸１３の後端部に螺合される。このようにして、棒状物繰り出し機構２０は本体軸１３（第１本体軸１４）の内部に固定されるので、ねじ回し１０でねじを回して使用した際においても、後側支持部材（止め部材１８）と本体軸１３の螺合接続が緩んでしまうことはない。
【００２８】
一方、先口１４ｂの内部には、シャープ芯１７が貫通されるスライダ１９が前後移動自在に設けられている。スライダ１９の前方側は、パイプ状のパイプガイド１９ａが形成されている。パイプガイド１９ａは、第１本体軸１４の先口１４ｂの先端開口部から出没される。このパイプガイド１９ａの先端部が第１芯突出部１４ａとされ、シャープ芯１７が突出される。スライダ１９の後方側は、シャープ芯１７を軽い把持力で把持することのできる把持部１９ｂが形成されている。
【００２９】
スライダ１９は、具体的には、例えば金属細管によりパイプガイド１９ａを形成し、この金属細管にインサート成形により軟質樹脂材料にて把持部１９ｂを形成することができる。または、パイプガイド１９ａ及び把持部１９ｂを一体としてスライダ１９を射出成形により形成し、把持部１９ｂにはスリット等を設けて弾性力を付与してシャープ芯１７を軽く把持するよう形成することもできる。
【００３０】
また、第１本体軸１４の後方側には、環状の溝部１４ｃが形成され、この溝部１４ｃのさらに後方側には、張出部１４ｄが形成されている。ここで、握り部１１はラバー素材等により形成される。第１本体軸１４は、握り部１１の貫通孔１１ａに後端部が圧入されることにより、溝部１４ｃに握り部１１の前端部がかみ合うとともに、張出部１４ｄが握り部１１に食い込んで、握り部１１に固定される。そして、握り部１１と第１本体軸１４との相対回転が防止される。
【００３１】
このように形成される棒状物繰り出し機構２０の動作、すなわち、シャープ芯１７の繰り出しは、以下の通りである。まず、握り部１１後端のノック部材１２を押してノック操作し、ノック部材１２を前進させる。すると、芯タンク２１がコイルばね２４の弾発力に抗して前進する。芯タンク２１の前進に伴って、チャック部材２２及びチャックリング２３も前進する。このとき、芯把持部２２ａによりシャープ芯１７が把持されているので、シャープ芯１７も前進する。
【００３２】
スライダ１９の把持部１９ｂは、シャープ芯１７を軽く把持しているので、シャープ芯１７の前進に伴って、スライダ１９も前進し、先口１４ｂ内の規制段部と当接する。このとき、スライダ１９のパイプガイド１９ａは、先口１４ｂの先端開口部からシャープ芯１７とともに突出する。
【００３３】
そして、段部１４ｂ３にチャックリング２３の前端が当接し、チャックリング２３と芯把持部２２ａの係合が外れる。チャックリング２３と芯把持部２２ａの係合が外れると、芯把持部２２ａは僅かに開き、シャープ芯１７は解放される。そして、ノック部材１２から指を離すと、コイルばね２４の付勢力により、芯タンク２１及びチャック部材２２が後方側に移動し、芯把持部２２ａの外周にチャックリング２３が係合して嵌められる。このとき、シャープ芯１７は、スライダ１９の把持部１９ｂにより軽く把持されているので、シャープ芯１７は、後方側に戻されることはない。
【００３４】
このようにして、シャープ芯１７は第１芯突出部１４ａ（具体的には、パイプガイド１９ａの先端）から繰り出される。さらに、第２本体軸１５が第１本体軸１４に装着されている場合には、このノック操作を繰り返すと、シャープ芯１７は、第１芯突出部１４ａから貫通孔１５ａ１に挿通され、第２芯突出部１５ａから突出される。
【００３５】
なお、ノック部材１２を押してチャック部材２２によりシャープ芯１７を解放した状態で、芯突出部（第１芯突出部１４ａ又は第２芯突出部１５ａ）から突出するシャープ芯１７を本体軸１３内部に押し込めば、シャープ芯１７を本体軸１３の内部に没入させることができる。
【００３６】
次に、第１本体軸１４と第２本体軸１５の着脱構造３０について説明する。図３に示すように、第２本体軸１５の後方側に、環状の溝部１５ｂが形成されている。図４に示すように、この溝部１５ｂには、横断面視Ｃ字状のＣリング３１が設けられている。ここで、図４に示す断面図においては、本体軸１３の内部機構を省略して、本体軸１３に関する断面図としている。Ｃリング３１は、弾性力を有し、径方向に拡縮可能に形成される。一方、第１本体軸１４と第２本体軸１５との接合部においては、第１本体軸１４外周及び第２本体軸１５の内周が横断面六角形状に形成されている。
【００３７】
第１本体軸１４の接合部における横断面六角形状の外表面には、図４及び図１にも示すように、環状の凹溝部１４ｆが形成されている。凹溝部１４ｆは、後述のボール３２の球面に対応して、縦断面半球状の溝形状として形成されている。そして、この凹溝部１４ｆに対応する第２本体軸１５の溝部１５ｂには、ボール３２を保持するボール保持孔１５ｂ１が形成されている。ボール保持孔１５ｂ１は、溝部１５ｂの外表面から内面に向けて貫通されるとともに、第２本体軸１５の内周面近傍が、第２本体軸１５の内周面側に凸となるように球面状に形成されている。
【００３８】
従って、ボール保持孔１５ｂ１に入れられたボール３２は、第２本体軸１５の内周面側に脱落されない。そして、第２本体軸１５の内周面側におけるボール３２の約３分の１程度は、第２本体軸１５の内周面から突出している。そして、ボール３２における第２本体軸１５の外周側は、Ｃリング３１の内周面と当接又は近接し、第２本体軸１５の外周側への脱落が防止されている。
【００３９】
このように形成される第１本体軸１４と第２本体軸１５の着脱は、第１本体軸１４から第２本体軸１５を軸方向に引くと、ボール３２が凹溝部１４ｆから脱して、ボール３２が第１本体軸１４の六角形状の平坦面に乗り上げる。そして、ボール３２がＣリング３１の内面を押し上げ、Ｃリング３１が拡径される。すると、第１本体軸１４と第２本体軸１５の係止が解除され、第２本体軸１５を第１本体軸１４から引き抜くことができる。
【００４０】
第２本体軸１５を第１本体軸１４に装着するには、第１本体軸１４に第２本体軸１５を差し込めば、ボール３２が凹溝部１４ｆに嵌り、第１本体軸１４と第２本体軸１５は係止状態となり、第１本体軸１４から第２本体軸１５が容易に抜けてしまうことはない。また、第１本体軸１４と第２本体軸１５の接合部における横断面形状が六角形状であるため、握り部１１からのトルクを効率よく第２本体軸１５の嵌合部１６に伝達することができる。
【００４１】
（第二実施形態）
次に、図５により、本発明に係る第二実施形態におけるねじ回し５０について説明する。本実施形態に係るねじ回し５０は、第一実施形態におけるねじ回し１０における第２本体軸１５を変更し、芯突出部が設けられていない第２本体軸５５とした。よって、本実施形態におけるねじ回し３０の芯突出部は、第１本体軸１４の第１芯突出部１４ａのみに設けられる。なお、以下の説明においては、第一実施形態と同様の構成については同じ符号を付して説明を省略する。
【００４２】
ねじ回し５０の第２本体軸５５は、着脱構造３０により、第１本体軸１４と着脱自在に形成されている。一方、第２本体軸５５の内部は、第１芯突出部１４ａからシャープ芯１７がある程度突出した状態でも第１本体軸１４に装着できるように、所定の空間５７が形成されている。そして、第２本体軸５５の先端部には、嵌合部１６が設けられている。
【００４３】
本実施形態においてシャープ芯１７により筆記する場合には、第２本体軸５５を第１本体軸１４から取り外して筆記することとなる。そして、本実施形態における第２本体軸５５は、第一実施例における第２本体軸１５に比べて、貫通孔１５ａ１や第２芯突出部１５ａが設けられていないので、嵌合部１６をより高強度に形成することができる。
【００４４】
（第三実施形態）
次に、図６に基づいて、本発明に係る第三実施形態におけるねじ回し６０について説明する。本実施形態に係るねじ回し６０は、第一実施形態における第１本体軸１４と第２本体軸１５とを接続する着脱構造３０を廃し、分割せず一体として形成した本体軸６３とした。なお、以下の説明においては、第一実施形態と同様の構成については同じ符号を付して説明を省略する。
【００４５】
棒状に形成される本体軸６３は、内部を中空状に形成される。そして、この中空状の内部にシャープ芯１７を繰り出す棒状物繰り出し機構２０が設けられる。さらに、本体軸６３の内部の前方側には、先細の略円筒形状に形成される芯ガイド駒６３ｂが固定されている。芯ガイド駒６３ｂの後部は、周方向に複数のリブ部６３ｂ１が形成されている。そして、リブ部６３ｂ１の後端部は、本体軸６３の内部に形成される段部６３ｂ２とされ、棒状物繰り出し機構２０のスリーブ２５の前端部が当接されている。第一実施形態と同様に、スリーブ２５は、止め部材１８及びコイルばね１８ａにより形成される後側支持部材により段部６３ｂ２に押さえ付けられることにより、棒状物繰り出し機構２０が本体軸６３内に保持される。
【００４６】
また、段部６３ｂ２の前方側のリブ部６３ｂ１の内側面には、チャックリング２３と当接する段部６３ｂ３がそれぞれ形成されている。よって、第一実施形態と同様に、チャックリング２３は、ノック操作により段部６３ｂ３と当接し、芯把持部２２ａ外周との係合が解除される。
【００４７】
芯ガイド駒６３ｂの先端部には、金属細管等により形成されるガイドパイプ６２が固定されている。ガイドパイプ６２の後方には、シャープ芯１７を軽く把持する把持部材６４が圧入固定されている。そして、ガイドパイプ６２及び把持部材６４には、シャープ芯１７が挿通される。この把持部材６４は、第一実施形態におけるスライダ１９の把持部１９ｂと同様に、棒状物繰り出し機構２０におけるシャープ芯１７の繰り出しの際に、チャック部材２２がシャープ芯１７を解放して後方側に戻る際のシャープ芯１７の戻りを防止する。
【００４８】
ガイドパイプ６２の前方は、外方に向けて貫通孔６３ａ１が形成され、この貫通孔６３ａ１にシャープ芯１７は挿通される。このようにして、本体軸６３の先端（換言すれば、嵌合部１６の先端）に芯突出部６３ａが形成され、この芯突出部６３ａからシャープ芯１７が突出され、筆記することができる。
【００４９】
本実施形態におけるねじ回し３０によれば、着脱構造３０を設けず、構造を簡単にすることができるので、より高強度の本体軸６３とすることができるとともに、製造に掛かるコストを低減させることができる。なお、本実施形態においては、ガイドパイプ６２を設けてシャープ芯１７が保護されるように構成したが、ガイドパイプ６２を設けないで構成することもできる。
【００５０】
以上、本発明の実施形態を説明したが、本発明は上記第一実施形態乃至第三実施形態の態様に限定されるものではなく、種々変更を加えて実施することができる。例えば、以上の実施形態においてはノック部材１２のノック操作によりシャープ芯１７を繰り出す棒状物繰り出し機構２０としたが、回転式の棒状物繰り出し機構とすることもできる。
【００５１】
この場合、握り部１１の後端から一部が突出される可動部を回転つまみとして形成する。そして、この回転つまみを回転させたときに棒状物繰り出し機構における把持解放手段がシャープ芯１７を解放し、螺子構造等によりシャープ芯１７を繰り出すよう構成することができる。回転つまみの回転を停止すると、把持解放手段がシャープ芯１７を把持し、筆記可能となる。この他、サイドノック式の棒状物繰り出し機構等、公知の棒状物繰り出し機構を採用することができる。
【００５２】
また、棒状物繰り出し機構２０は、止め部材１８及びコイルばね１８ａにより形成される後側支持部材により後方側から付勢して押さえるように構成したが、後側支持部材はこれに限られず、止め部材１８とコイルばね１８ａを一体としたり、コイルばね１８ａに換えて他の弾性部材としたり、止め部材１８を前方側に長く延ばして止め部材とスリーブ２５を直接当接させることにより後側支持部材を構成してもよい。
【００５３】
また、第２本体軸１５を第１本体軸１４に着脱する着脱構造３０は、Ｃリング３１によりボール３２を押さえる構造としたが、これに限られることなく、磁石により着脱自在としたり、樹脂部材同士の乗り越え嵌合等の種々の形式を採用することができる。
【００５４】
また、第２本体軸１５と第１本体軸１４の接合部は、以上の実施形態においては横断面六角形状として形成したが、キー及びキー溝による嵌合や、一つ以上の平面部を設けて構成することができる。すなわち、第２本体軸１５が第１本体軸１４に対する回転が規制されていれば、種々の形式を採用することができる。
【００５５】
また、以上の実施形態においては、棒状物としてシャープ芯１７として説明したが、この他、ボールペンや、クレヨン等の固形物により形成された筆記具、又は、ケガキ工具等の種々の作業に用いられる棒状物とすることができる。さらに、嵌合部１６は、以上の実施形態においてはプラス状に形成したが、これに限られることなく、マイナス状や六角状等の種々のねじやボルトに対応する嵌合部とすることができる。
【符号の説明】
【００５６】
１０      ねじ回し                  １１      握り部
１１ａ    貫通孔                    １２      ノック部材
１３      本体軸                    １４      第１本体軸
１４ａ    第１芯突出部              １４ｂ    先口
１４ｂ１  リブ部                    １４ｂ２  段部
１４ｂ３  段部                      １４ｃ    溝部
１４ｄ    張出部                    １４ｆ    凹溝部
１５      第２本体軸                １５ａ    第２芯突出部
１５ａ１  貫通孔                    １５ｂ    溝部
１５ｂ１  ボール保持孔              １６      嵌合部
１７      シャープ芯                １８      止め部材
１８ａ    コイルばね                １９      スライダ
１９ａ    パイプガイド              １９ｂ    把持部
２０      棒状物繰り出し機構
２１      芯タンク                  ２２      チャック部材
２２ａ    芯把持部                  ２３      チャックリング
２４      コイルばね                ２５      スリーブ
２５ａ    環状突部
３０      着脱構造                  ３１      Ｃリング
３２      ボール                    ３５      第２本体軸
５０      ねじ回し                  ５５      第２本体軸
６０      ねじ回し
６２      ガイドパイプ              ６３      本体軸
６３ａ    芯突出部                  ６３ａ１  貫通孔
６３ｂ    芯ガイド駒                ６３ｂ１  リブ部
６３ｂ２  段部                      ６３ｂ３  段部
６４      把持部材
【図１】
0006399649.tif 000002
【図２】
0006399649.tif 000003
【図３】
0006399649.tif 000004
【図４】
0006399649.tif 000005
【図５】
0006399649.tif 000006
【図６】
0006399649.tif 000007